(57)【要約】【課題】貴金属地金製のリング枠の表面に真珠の母貝などがはめ込まれた構造の指輪などのリング状装身具を製造するための新たな方法を提案すること。【解決手段】貴金属地金製のシリンダー状の棒１を製作し、これを所定の厚さに輪切りして、リング枠２を形成する。リング枠２に表面加工を施した後に、真珠の母貝、貴石などの異種素材片３をはめ込み、この状態で、リング枠２および異種素材片３の表面を同時に、ダイヤモンド・バイト４で表面研磨する。表面が滑らかなリング状装身具を得ることができる。【選択図】　　　図１
2004135714.tif 000002
【特許請求の範囲】
【請求項１】
金、銀、プラチナなどの貴金属製のリング枠を製作する工程と、
このリング枠の表面に真珠の母貝、半貴石、貴石などの異種素材をはめ込む工程と、
前記リング枠の表面、および当該表面にはめ込まれた前記異種素材を、ダイヤモンド・バイトにより同時にカットする工程と、
を含むことを特徴とするリング状装身具の製造方法。
【請求項２】
請求項１に記載の製造方法により製造されたことを特徴とするリング状装身具。
【発明の詳細な説明】
【０００１】
【発明の属する技術分野】
本発明は、貴金属製のリング枠に真珠の母貝等がはめ込まれた指輪などのリング状装身具の製造方法、および当該製造方法により製造されたリング状装身具に関するものである。
【０００２】
【従来の技術】
従来のリング状装身具、例えば指輪の貴金属地金部分（リング枠）は一般にキャスト製法により製造されている。リング枠の製造は大きく分けると鋳造と一品制作に分かれる。そのほか、板金加工技術の絞りや鍛造、エレクトロフォーミングといわれるメッキ技術を用いて製作されたものも知られている。また、最近では、コンピューターを使った彫刻機や光造形技術もリング枠の製作に応用されている。さらに、鋳造では微細な模様や形状などを精度良く形成することができないので、高級品になればなるほど、鋳造品に手が加わる工程が増えて、一品制作に近づく。
【０００３】
ここで、鋳造としては、アクセサリーの分野ではロストワックス製法が採用されており、一般には、単に「キャスト」という言う方が宝飾品業界では一般的である。キャスト製法によるリング枠の製造は次の工程から成り立っている。
【０００４】
（１）原型をシルバーや特殊な蝋などで作る。
（２）それを液状のゴムに埋め込んで型どりを行う。
（３）固まったゴム型を二つに裂いて原型を取り出す。
（４）ゴム型を合わせたところに溶かした蝋を流し込む。
（５）固まって複製された蝋を取り出す。
（６）蝋でできた複製をたくさんツリー状に組み上げる。
（７）石膏に埋め込んで焼き上げて蝋を溶かして、空洞を形成する。
（８）できた空洞に溶かした貴金属を流し込み石膏を壊して、多数個のリング枠を得る。
（９）各リング枠の表面仕上げのために、電気を使った研磨とモーターに布を付けた機械で研磨する。
【０００５】
一方、リング枠の製法としては次の工程によるものも知られている。
【０００６】
（ａ）貴金属合金（１８金、プラチナ、シルバー等）のシリンダー状の棒を作る。
（ｂ）シリンダー状の棒を厚み４〜６ｍｍ程度に輪切りにして、多数のリング枠を形成する。
（ｃ）輪切状にしたリング枠を旋盤にセットし、リング枠を回転させながらダイヤモンド・バイトでリング枠の表面および側面などをカットする。
（ｄ）リング枠の表面又は側面に、縦、横、斜めに様々な模様を、異なるサイズのダイヤモンド・バイトで切り込むことにより付ける。
（ｅ）最終段階で貴石をリング枠の表面または側面にはめ込む。
【０００７】
【発明が解決しようとする課題】
これらの従来の製法では、最終段階で貴石を、リング枠にセットするのが特徴である。しかしながら、横から見ると、貴石がリング枠の表面に対して凸凹している場合が多い。
【０００８】
リング枠に対して凹凸状態で貴石などが固定された状態の指輪などの装身具では、次のような問題が発生する。当該装身具を装着している女性が、携帯している皮製ハンドバックに傷をつけたり、着用している毛糸のセーターを引っ掛けたり、柔らかい金属製品（車のドアロック部分など）に傷をつけることがある。また、貴石と枠に一体感がないので、美感上の点からも望ましくない場合がある。
【０００９】
本発明の課題は、このような点に鑑みて、リング枠の表面に貴石などが凹凸なく固定された構成のリング状装身具を製造する方法を提案することにある。
【００１０】
また、本発明の課題は、かかる新たな製造方法により製造されたリング状装身具を提案することにある。
【００１１】
【課題を解決するための手段】
上記の課題を解決するために、本発明によるリング状装身具の製造方法は、
金、銀、プラチナなどの貴金属製のリング枠を製作する工程と、
このリング枠の表面に真珠の母貝、半貴石、貴石などの異種素材をはめ込む工程と、
前記リング枠の表面、および当該表面にはめ込まれた前記異種素材を、ダイヤモンド・バイトにより同時にカットする工程と、
を含むことを特徴としている。
【００１２】
次に、本発明は指輪などのリング状装身具に関するものであり、上記の製造方法により製造されたことを特徴としている。
【００１３】
【発明の実施の形態】
以下に、図面を参照して本発明を適用したリング状装身具の製造法を説明する。
【００１４】
図１は本発明を適用した指輪の製造法を示す説明図である。まず、図１（ａ）に示すように、貴金属合金（１８金、プラチナ、シルバー等）のシリンダー状の棒１を作る。
【００１５】
次に、シリンダー状の棒１を厚み４〜６ｍｍ程度に輪切りにして、多数のリング枠２を形成する。
【００１６】
得られた各リング枠２を旋盤にセットし、リング枠２を回転させながらダイヤモンド・バイトでリング枠２の表面（外周面、内周面、両側端面）などをカットする。そして、リング枠の外周面又は端面に、縦、横、斜めに様々な模様を、異なるサイズのダイヤモンド・バイトで切り込むことにより付ける。
【００１７】
この後は、真珠の母貝、貴石、その他の異種素材片３をリング枠２の表面にはめ込む。
【００１８】
しかる後に、図１（ｂ）に示すように、貴金属地金製のリング枠２と貴石などの異種素材片３とを同時にダイヤモンド・バイト４でカットする。
【００１９】
本例の製造方法では、リング枠２とそこに固定した貴石などの異種素材片３を同時にカットしているので、はめ込んだ異種素材片３がリング枠２の高さと同一となりリング枠２と異種素材片３とが一体化する。
【００２０】
なお、本発明の方法は、ダイヤモンド・バイトの硬度より柔らかい半貴石等にも応用可能であり、リング枠の素材がシルバーの場合はもとより、ゴールド、プラチナなどの貴金属の場合にも適用可能であることはもちろんである。
【００２１】
【発明の効果】
以上説明したように、本発明のリング状装身具の製造方法によれば、貴石などの異種素材片が固定されたリング枠の表面が滑らかとなる。よって、女性が身に付けた状態でハンドバックなどに傷がつくことを防ぐことができる。また、着用している毛糸のセーターに引っ掛けたり、柔らかい金属製品（車のドアロック部分など）に傷をつけることがない。さらには、貴石などの異種素材片とリング枠に一体感が出るので、美感も改善される。
【００２２】
さらにまた、リング枠と母貝などの貴石を同時にカット出来るので、製造効率が向上する。
【図面の簡単な説明】
【図１】本発明を適用した指輪の製造方法の例を示すための説明図である。
【符号の説明】
１　　シリンダー状の棒
２　　リング枠
３　　貴石などの異種素材片
４　　ダイヤモンド・バイト
【図１】
2004135714.tif 000003